(57)【要約】【課題】被充電装置に含まれる通信装置と充電装置に含まれる通信装置との間で互いの通信アドレスを容易に特定できる、通信装置及び通信方法を提供すること。【解決手段】被充電装置に含まれる通信装置２００にて、共通ＩＤ算出部２０１が、本充電期間の前の、当該本充電期間より短い仮充電期間を規定する規定パラメータに基づいて、第１の共通ＩＤを算出し、受信処理部２０２が、充電装置にて算出された第２の共通ＩＤを含む信号を受信し、共通ＩＤ比較部２０３は、第１の共通ＩＤと第２の共通ＩＤとが一致する場合に、受信処理部２０２で受信された信号を自装置宛の信号と判定する。こうして、仮充電にて通信装置２００が検出可能な規定パラメータから共通ＩＤを算出するので、通信装置２００と充電装置に含まれる他の通信装置との間で同じＩＤを持ち合うことができる。この共通ＩＤを使って、互いの通信アドレスを容易に特定できる。【選択図】図２
2012124990.tif 000002
【特許請求の範囲】
【請求項１】
被充電装置、及び、前記被充電装置に対して充電期間においてケーブルを介して充電パラメータに基づいて充電する充電装置の内の第１の装置に含まれる通信装置であって、
本充電期間の前の前記本充電期間より短い仮充電期間を規定する規定パラメータに基づいて、共通ＩＤを算出する算出手段と、
前記算出された共通ＩＤを用いて、前記被充電装置及び前記充電装置の内の第２の装置に含まれる他の通信装置へデータを送信する送信手段と、
を具備する通信装置。
【請求項２】
被充電装置、及び、前記被充電装置に対して充電期間においてケーブルを介して充電パラメータに基づいて充電する充電装置の内の第１の装置に含まれる通信装置であって、
本充電期間の前の前記本充電期間より短い仮充電期間を規定する規定パラメータに基づいて、第１の共通ＩＤを算出する算出手段と、
前記被充電装置及び前記充電装置の内の第２の装置に含まれる他の通信装置にて算出された第２の共通ＩＤを含む信号を受信する受信手段と、
前記第１の共通ＩＤと前記第２の共通ＩＤとが一致する場合に、前記受信された信号を自装置宛の信号と判定する判定手段と、
を具備する通信装置。
【請求項３】
前記算出手段は、規定パラメータを構成する複数の構成パラメータのそれぞれの値を表すデータ列を、所定の順番で直列に連結することにより、前記共通ＩＤを形成する、
請求項１又は２に記載の通信装置。
【請求項４】
前記規定パラメータは、充電開始時刻、充電終了時刻、充電量の内の少なくとも一部を前記構成パラメータとして含む、
請求項１から請求項３のいずれか一項に記載の通信装置。
【請求項５】
被充電装置、及び、前記被充電装置に対して充電期間においてケーブルを介して充電パラメータに基づいて充電する充電装置の内の第１の装置に含まれる通信装置における通信方法であって、
本充電期間の前の前記本充電期間より短い仮充電期間を規定する規定パラメータに基づいて、共通ＩＤを算出するステップと、
前記算出された共通ＩＤを用いて、前記被充電装置及び前記充電装置の内の第２の装置に含まれる他の通信装置へデータを送信するステップと、
を具備する通信方法。
【請求項６】
被充電装置、及び、前記被充電装置に対して充電期間においてケーブルを介して充電パラメータに基づいて充電する充電装置の内の第１の装置に含まれる通信装置における通信方法であって、
本充電期間の前の前記本充電期間より短い仮充電期間を規定する規定パラメータに基づいて、第１の共通ＩＤを算出するステップと、
前記被充電装置及び前記充電装置の内の第２の装置に含まれる他の通信装置にて算出された第２の共通ＩＤを含む信号を受信するステップと、
前記第１の共通ＩＤと前記第２の共通ＩＤとが一致する場合に、前記受信された信号を自装置宛の信号と判定するステップと、
を具備する通信方法。
【発明の詳細な説明】
【技術分野】
【０００１】
本発明は、通信装置及び通信方法に関する。
【背景技術】
【０００２】
電気自動車に搭載された被充電装置は、充電スタンドの充電装置と一本の充電ケーブルで接続され、充電される。近年、被充電装置と充電装置との間で通信を行うことにより、電気自動車内の利用者に充電スケジュールを提示したり、又は、課金状況を提示したりする付加的なサービスが検討されている。被充電装置と充電装置との間での通信は、有線又は無線によって行われる。有線通信の場合には、例えば、特許文献１に開示されるように、被充電装置と充電装置とを接続する電力線が通信媒体として用いられる。すなわち、特許文献１では、電力線通信（ＰＬＣ）が行われている。この電力線通信とは、送信側装置において、低周波成分から成る充電電力の波形に高周波成分から成る情報信号が重畳された重畳信号が送信され、受信側装置において、重畳信号から高周波成分が抽出されることにより、情報信号が得られる。
【先行技術文献】
【特許文献】
【０００３】
【特許文献１】特開2004-222176号公報
【発明の概要】
【発明が解決しようとする課題】
【０００４】
ところで、充電ケーブルで接続されている被充電装置と充電装置との間で通信を行うためには、互いの通信アドレスを特定する必要がある。そこで、被充電装置と充電装置との内の一方から他方へ自身の通信アドレスを、通信媒体を介して送信する。しかしながら、充電ケーブルによって１対１で接続されている被充電装置と充電装置との間であっても、互いの通信アドレスを特定することは困難である。なぜならば、充電ケーブルで直接接続された場合であっても、電力線通信を用いた場合には、充電ケーブルから高周波成分が漏洩する可能性があるため、被充電装置及び充電装置のペアが近接して複数存在している場合、別のペアの被充電装置又は充電装置の通信アドレスと、自身が充電ケーブルで接続されている相手の通信アドレスとを区別することが困難だからである。充電ケーブルで送信側装置と受信側装置とが物理的に接続された状態で行われる電力線通信ですら混信が問題となるので、無線通信の場合には、尚更である。
【０００５】
本発明の目的は、被充電装置に含まれる通信装置と充電装置に含まれる通信装置との間で互いの通信アドレスを容易に特定することができる、通信装置及び通信方法を提供することである。
【課題を解決するための手段】
【０００６】
本発明の一態様の通信装置は、被充電装置、及び、前記被充電装置に対して充電期間においてケーブルを介して充電パラメータに基づいて充電する充電装置の内の第１の装置に含まれる通信装置であって、本充電期間の前の前記本充電期間より短い仮充電期間を規定する規定パラメータに基づいて、共通ＩＤを算出する算出手段と、前記算出された共通ＩＤを用いて、前記被充電装置及び前記充電装置の内の第２の装置に含まれる他の通信装置へデータを送信する送信手段と、を具備する。
【０００７】
本発明の一態様の通信装置は、被充電装置、及び、前記被充電装置に対して充電期間においてケーブルを介して充電パラメータに基づいて充電する充電装置の内の第１の装置に含まれる通信装置であって、本充電期間の前の前記本充電期間より短い仮充電期間を規定する規定パラメータに基づいて、第１の共通ＩＤを算出する算出手段と、前記被充電装置及び前記充電装置の内の第２の装置に含まれる他の通信装置にて算出された第２の共通ＩＤを含む信号を受信する受信手段と、前記第１の共通ＩＤと前記第２の共通ＩＤとが一致する場合に、前記受信された信号を自装置宛の信号と判定する判定手段と、を具備する。
【０００８】
本発明の一態様の通信方法は、被充電装置、及び、前記被充電装置に対して充電期間においてケーブルを介して充電パラメータに基づいて充電する充電装置の内の第１の装置に含まれる通信装置における通信方法であって、本充電期間の前の前記本充電期間より短い仮充電期間を規定する規定パラメータに基づいて、共通ＩＤを算出するステップと、前記算出された共通ＩＤを用いて、前記被充電装置及び前記充電装置の内の第２の装置に含まれる他の通信装置へデータを送信するステップと、を具備する。
【０００９】
本発明の一態様の通信方法は、被充電装置、及び、前記被充電装置に対して充電期間においてケーブルを介して充電パラメータに基づいて充電する充電装置の内の第１の装置に含まれる通信装置における通信方法であって、本充電期間の前の前記本充電期間より短い仮充電期間を規定する規定パラメータに基づいて、第１の共通ＩＤを算出するステップと、前記被充電装置及び前記充電装置の内の第２の装置に含まれる他の通信装置にて算出された第２の共通ＩＤを含む信号を受信するステップと、前記第１の共通ＩＤと前記第２の共通ＩＤとが一致する場合に、前記受信された信号を自装置宛の信号と判定するステップと、を具備する。
【発明の効果】
【００１０】
本発明によれば、被充電装置に含まれる通信装置と充電装置に含まれる通信装置との間で互いの通信アドレスを容易に特定することができる、通信装置及び通信方法を提供することができる。
【図面の簡単な説明】
【００１１】
【図１】本発明の実施の形態１に係る通信装置の主要構成を示すブロック図
【図２】本発明の実施の形態１に係る通信装置の主要構成を示すブロック図
【図３】本発明の実施の形態１に係る充電装置の構成を示すブロック図
【図４】本発明の実施の形態１に係る被充電装置の構成を示すブロック図
【図５】本発明の実施の形態１に係る充電装置の動作説明に供するフロー図
【図６】本発明の実施の形態１に係る被充電装置の動作説明に供するフロー図
【図７】本発明の実施の形態２に係る充電装置の構成を示すブロック図
【図８】本発明の実施の形態２に係る被充電装置の構成を示すブロック図
【図９】本発明の実施の形態２に係る充電装置の動作説明に供するフロー図
【図１０】本発明の実施の形態２に係る被充電装置の動作説明に供するフロー図
【発明を実施するための形態】
【００１２】
以下、本発明の実施の形態について図面を参照して詳細に説明する。なお、実施の形態において、同一の構成要素には同一の符号を付し、その説明は重複するので省略する。
【００１３】
［実施の形態１］
［システムの概要］
本発明の実施の形態１に係る通信システムは、通信装置１００と、通信装置２００とを有する。通信装置１００は、被充電装置に対して充電期間において充電ケーブルを介して充電パラメータに基づいて充電する充電装置に含まれる。また、通信装置２００は、充電装置によって充電期間において充電ケーブルを介して充電される被充電装置に含まれる。充電装置と被充電装置とは、充電ケーブルを介して１対１に接続されている。
【００１４】
図１は、本発明の実施の形態１に係る通信装置１００の主要構成を示すブロック図である。図１の通信装置１００において、共通ＩＤ算出部１０１は、本充電期間の前の、当該本充電期間より短い仮充電期間を規定する規定パラメータに基づいて、共通ＩＤを算出し、通信データ信号形成部１０２は、算出された共通ＩＤを含むデータ（通信装置１００が含まれる充電装置の通信アドレスも含む）を被充電装置へデータを送信する。
【００１５】
図２は、本発明の実施の形態１に係る通信装置２００の主要構成を示すブロック図である。図２の通信装置２００において、共通ＩＤ算出部２０１は、本充電期間の前の、当該本充電期間より短い仮充電期間を規定する規定パラメータに基づいて、第１の共通ＩＤを算出し、受信処理部２０２は、通信装置１００にて算出された第２の共通ＩＤを含む信号を受信し、共通ＩＤ比較部２０３は、第１の共通ＩＤと第２の共通ＩＤとが一致する場合に、受信処理部２０２で受信された信号を自装置宛の信号と判定する。
【００１６】
ここで、「本充電」とは、利用者の意思によって行われる充電装置から被充電装置への通常の充電である。これに対して、「仮充電」とは、利用者に意思によって行われる充電ではなく、共通ＩＤを通信装置１００と通信装置２００との間で共有するための充電である。そして、仮充電期間は、本充電期間よりも短い期間であって、本充電期間の前に独立に設けられる。
【００１７】
また、「充電パラメータ」とは、充電期間（本充電期間及び仮充電期間のそれぞれを含む）における充電に必要なパラメータ群である。また、「規定パラメータ」は、充電パラメータを構成するパラメータ群の内の少なくとも一部から構成される。
【００１８】
なお、以下では、充電装置が充電スタンドに設置され、被充電装置が電気自動車に搭載されることを前提として説明を行うが、逆に被充電装置が充電スタンドに設置され、充電装置が電気自動車に搭載されていても良い。
【００１９】
［充電装置３００の構成］
図３は、本発明の実施の形態１に係る充電装置３００の構成を示すブロック図である。図３において、充電装置３００は、通信装置１００を含んで構成されている。図３において、充電装置３００は、共通ＩＤ算出部１０１と、通信データ信号形成部１０２と、充電パラメータ決定部３０１と、充電制御部３０２と、規定パラメータ取得部３０３と、アドレス保持部３０４と、多重部３０５とを有する。
【００２０】
充電パラメータ決定部３０１は、充電パラメータを決定する。充電パラメータには、例えば、充電開始時刻、充電終了時刻、充電量などが含まれる。決定された充電パラメータは、充電制御部３０２及び規定パラメータ取得部３０３へ出力される。
【００２１】
充電制御部３０２は、充電パラメータ決定部３０１から出力された充電パラメータに基づいて、電力を多重部３０５へ出力する。この電力は、充電ケーブルを介して被充電装置へ入力される。ここで、上述の通り、充電制御部３０２は、仮充電期間と本充電期間とで独立に電力を出力する。
【００２２】
規定パラメータ取得部３０３は、充電パラメータ決定部３０１から出力された充電パラメータから規定パラメータを抽出することにより、規定パラメータを取得する。規定パラメータには、充電開始時刻、充電終了時刻、充電量の内の少なくとも一部が含まれる。この規定パラメータは、共通ＩＤ算出部１０１へ出力される。ここで、充電開始時刻及び充電終了時刻は、絶対時刻であっても例えば通信信号の送信時刻に対する相対時刻であっても良い。
【００２３】
共通ＩＤ算出部１０１は、規定パラメータ取得部３０３から出力された規定パラメータに基づいて、共通ＩＤを算出する。共通ＩＤ算出部１０１は、例えば、規定パラメータを構成するパラメータ群の値（データ）を予め決められている順番で直列に連結することにより、共通ＩＤを形成しても良いし、又は、規定パラメータを構成するパラメータ群の内の１つをそのまま共通ＩＤとしても良い。ただし、この規定パラメータの算出方法は、これに限定されるものではなく、規定パラメータから一意に結果を求められるものであれば良い。
【００２４】
アドレス保持部３０４は、自装置の通信アドレス（例えば、ＩＰアドレス、又は、ＭＡＣアドレス）を保持する。
【００２５】
通信データ信号形成部１０２は、共通ＩＤ算出部１０１で算出された共通ＩＤ及び自装置の通信アドレスを含めた送信信号を形成し、形成された送信信号をブロードキャスト送信する。この送信信号は、多重部３０５へ出力される。
【００２６】
多重部３０５は、充電制御部３０２から出力された電力波形に、通信データ信号形成部１０２から出力された送信信号を重畳し、得られた電力波形を被充電装置４００へ向けて出力する。すなわち、多重部３０５では、低周波である電力波形に、高周波である送信信号が重畳される。
【００２７】
［被充電装置４００の構成］
図４は、本発明の実施の形態１に係る被充電装置４００の構成を示すブロック図である。図４において、被充電装置４００は、通信装置２００を含んで構成されている。図４において、被充電装置４００は、共通ＩＤ算出部２０１と、受信処理部２０２と、共通ＩＤ比較部２０３と、分離部４０１と、充電制御部４０２と、規定パラメータ取得部４０３と、アドレス保持部４０４とを有する。
【００２８】
分離部４０１は、充電装置３００から出力された電力波形を低周波成分と高周波成分とに分離し、低周波成分を充電制御部４０２へ出力し、高周波成分を受信処理部２０２へ出力する。ここで、高周波成分は、充電装置３００で形成された送信信号に相当する一方、低周波成分は、充電装置３００から出力された電力に相当する。
【００２９】
充電制御部４０２は、分離部４０１から出力された低周波成分によって、蓄電池（図示せず）を充電する制御を行う。また、充電制御部４０２は、分離部４０１から出力された低周波成分に基づいて、充電装置３００にて用いられている充電パラメータを構成するパラメータ群の内で検出可能なパラメータを検出する。このパラメータ検出は、仮充電期間と本充電期間とで独立して行われる。ここで、上記した充電パラメータを構成するパラメータ（充電開始時刻、充電終了時刻、充電量）は、検出可能なパラメータである。仮充電期間において検出された充電パラメータは、規定パラメータ取得部４０３へ出力される。
【００３０】
規定パラメータ取得部４０３は、充電制御部４０２から出力された仮充電期間の充電パラメータから規定パラメータを抽出することにより、規定パラメータを取得する。規定パラメータには、充電開始時刻、充電終了時刻、充電量の内の少なくとも一部が含まれる。この規定パラメータは、共通ＩＤ算出部２０１へ出力される。ここで、充電開始時刻及び充電終了時刻は、絶対時刻であっても例えば通信信号の送信時刻に対する相対時刻であっても良い。なお、規定パラメータ取得部４０３が充電制御部４０２を監視する機能を有し、仮充電期間における規定パラメータを取得するようにしても良い。
【００３１】
共通ＩＤ算出部２０１は、規定パラメータ取得部４０３から出力された規定パラメータに基づいて、共通ＩＤを算出する。ここで、共通ＩＤ算出部２０１で用いられる共通ＩＤの算出方法は、充電装置３００の共通ＩＤ算出部１０１で用いられるものと共通する。
【００３２】
受信処理部２０２は、分離部４０１から出力された高周波成分に対して受信処理を施すことにより、充電装置３００から送信された共通ＩＤ及び充電装置３００の通信アドレスを取得する。また、受信処理部２０２は、共通ＩＤ比較部２０３から出力される制御信号を受け取ると、充電装置３００の通信アドレスをアドレス保持部４０４へ出力する。
【００３３】
共通ＩＤ比較部２０３は、共通ＩＤ算出部２０１で算出された共通ＩＤと受信処理部２０２で取得された共通ＩＤとを比較する。比較の結果、両共通ＩＤが一致する場合には、共通ＩＤ比較部２０３は、受信処理部２０２で受信された受信信号が自装置宛の信号であると判断し、制御信号を受信処理部２０２へ出力する。
【００３４】
アドレス保持部４０４は、自装置の通信アドレスと、受信処理部２０２から受け取る充電装置３００の通信アドレスとを保持する。
【００３５】
なお、共通ＩＤ比較部２０３において、両共通ＩＤが一致すると判定される場合には、被充電装置４００が備える通信データ信号形成部（図示せず）が、共通ＩＤ算出部２０１で算出された共通ＩＤ、自装置の通信アドレス、及び、アドレス保持部４０４に保持される充電装置３００の通信アドレスを含めた応答信号を形成し、形成された応答信号を送信する。この応答信号は、充電ケーブルを介して充電装置３００へ送信される。そして、充電装置３００の受信処理部（図示せず）が応答信号を受け取ることにより、被充電装置４００の通信アドレスを取得することができる。
【００３６】
［充電装置３００及び被充電装置４００の動作］
以上の構成を有する充電装置３００及び被充電装置４００の動作について図５，６のフローを参照して説明する。図５は、充電装置３００に対応するフロー図であり、図６は、被充電装置４００に対応するフロー図である。
【００３７】
図５におけるステップＳ１１で充電装置３００の接続検知部（図示せず）が被充電装置４００との間で充電ケーブルが接続されたことを検知すると、ステップＳ１２で制御部（図示せず）が、先ず、通信確立モードに移行し、充電パラメータ決定部３０１へ仮充電期間の充電パラメータの決定を指示する指示信号を充電パラメータ決定部３０１へ出力する。通信確立モードとは、充電装置３００が通信相手となる被充電装置４００の通信アドレスを特定するモードであり、当該モードにおいては、利用者の操作による通信又は充電は実行されない。
【００３８】
充電パラメータ決定部３０１は、制御部から指示信号を受け取ると、ステップＳ１３において仮充電期間の充電パラメータを決定し、決定された充電パラメータを充電制御部３０２へ出力する。仮充電は本来の目的と異なる充電であるため、可能な限り短時間かつ小電力となるような充電パラメータが決定されることが望ましい。さらに、充電パラメータは、共通ＩＤを算出する基となるため、近接する他の充電装置が決定する充電パラメータと同一時刻に同一にならないようにする必要がある。例えば、充電パラメータをランダムに決定することにより、近接する充電装置間で充電パラメータが同一時刻で重複する確率を下げることができる。さらには、近接する充電装置間で予め充電パラメータの一部を充電装置毎に異なる値とすることにより、近接する充電装置間で充電パラメータが同一時刻で重複することを回避することができる。
【００３９】
ステップＳ１３において決定された、仮充電期間の充電パラメータに基づいて、充電制御部３０２は、仮充電を実行する。
【００４０】
この仮充電と並行して、ステップＳ１４においては、規定パラメータ取得部３０３が、充電パラメータ決定部３０１から出力された充電パラメータから規定パラメータを抽出することにより、規定パラメータを取得し、共通ＩＤ算出部１０１が、規定パラメータ取得部３０３から出力された規定パラメータに基づいて、共通ＩＤを算出する。
【００４１】
ステップＳ１５において通信データ信号形成部１０２は、共通ＩＤ算出部１０１で算出された共通ＩＤ及び自装置の通信アドレスを含めた送信信号を形成し、形成された送信信号をブロードキャスト送信する。
【００４２】
ステップＳ１６において充電装置３００の受信処理部（図示せず）は、被充電装置４００から送信される応答信号を受信したか否かを判定する。この判定は、受信信号を受け取るまで行われても良いし、所定期間においてだけ繰り返しても良い。後者の場合には、所定期間が経過すると、ステップＳ１３〜Ｓ１５の処理が再度行われる設定とされても良い。応答信号は、仮充電期間の終了後、一定期間内に到着するのが正常である。一定期間内に応答信号を受信できなければ、異常として判断できる。
【００４３】
ステップＳ１６において応答信号が受信されたと判定される場合には、ステップＳ１７において充電装置３００の受信処理部（図示せず）は、応答信号に含まれる送信元アドレスを被充電装置４００の通信アドレスとしてアドレス保持部３０４に登録する。応答信号は、充電ケーブルで接続された被充電装置４００が、宛先アドレスを充電装置３００の通信アドレスとしたユニキャストパケットである。従って、充電装置３００に近接する他の充電装置が受信することはない。
【００４４】
充電装置３００の受信処理部（図示せず）が応答信号を受信すると、ステップＳ１８において制御部（図示せず）は、通信確立モードを終了する。
【００４５】
そして、ステップＳ１９において、利用者からの要求に基づいて、充電装置３００と被充電装置４００との間で、通信および本充電が、開始される。その後、本充電が完了すると、ステップＳ２０において通信が終了し、ステップＳ２１において充電ケーブルが被充電装置４００から離脱されたことが検知される。
【００４６】
図６におけるステップＳ３１で被充電装置４００の接続検知部（図示せず）が充電装置３００との間で充電ケーブルが接続されたことを検知すると、ステップＳ３２で制御部（図示せず）が、先ず、通信アドレス特定モードに移行し、仮充電期間の充電パラメータの取得を指示する指示信号を規定パラメータ取得部４０３へ出力する。通信アドレス特定モードとは、充電装置３００側の通信確立モードに対応するモードであり、通信アドレス特定モード期間においては、利用者からの要求は受け付けられない。
【００４７】
その後、仮充電が行われた後に、ステップＳ３５において規定パラメータ取得部４０３が、充電制御部４０２から出力された仮充電期間の充電パラメータから規定パラメータを抽出することにより、規定パラメータを取得する。ステップＳ３６において共通ＩＤ算出部２０１は、規定パラメータ取得部４０３から出力された規定パラメータに基づいて、共通ＩＤを算出する。
【００４８】
上記仮充電と並行して、ステップＳ３３において受信信号処理部２０２は、充電装置３００から送信された信号を受信したか否かを判定する。この判定は、受信信号を受け取るまで行われても良いし、所定期間においてだけ繰り返しても良い。後者の場合には、所定期間が経過すると、通信アドレス特定モードが終了され、充電装置３００と被充電装置４００との間の通信及び充電は実行されない設定とされても良い。
【００４９】
ステップＳ３３において充電装置３００から送信された信号を受信したと判定される場合には、ステップＳ３４において受信処理部２０２は、分離部４０１から出力された高周波成分に対して受信処理を施すことにより、充電装置３００から送信された共通ＩＤ及び充電装置３００の通信アドレスを取得する。
【００５０】
ステップＳ３７において共通ＩＤ比較部２０３は、共通ＩＤ算出部２０１で算出された共通ＩＤと受信処理部２０２で取得された共通ＩＤとを比較する。比較の結果、両共通ＩＤが一致する場合には、共通ＩＤ比較部２０３は、受信処理部２０２で受信された受信信号が自装置宛の信号であると判断し、制御信号を受信処理部２０２へ出力する。これにより、ステップＳ３８において受信処理部２０２は、充電装置３００の通信アドレスをアドレス保持部４０４に登録する。一方、比較の結果、両共通ＩＤが一致しない場合には、共通ＩＤ比較部２０３は、受信処理部２０２から次に共通ＩＤを受け取るまで待機する。
【００５１】
そして、両共通ＩＤが一致する場合には、ステップＳ３９において被充電装置４００の通信データ信号形成部（図示せず）が、共通ＩＤ算出部２０１で算出された共通ＩＤ、自装置の通信アドレス、及び、アドレス保持部４０４に保持される充電装置３００の通信アドレスを含めた応答信号を形成し、形成された応答信号を送信する。被充電装置４００の通信データ信号形成部（図示せず）が応答信号を送信すると、ステップＳ４０において制御部（図示せず）は、通信アドレス特定モードを終了する。ここで、応答信号は、充電装置３００の通信アドレスを宛先アドレスとする。すなわち、応答信号は、ユニキャスト送信される。一方、両共通ＩＤが一致しない場合には、フローはステップＳ３３に戻り、充電措置３００から送信された信号の受信待ち状態となる。
【００５２】
そして、ステップＳ４１において、利用者からの要求に基づいて、充電装置３００と被充電装置４００との間で、通信および本充電が、開始される。その後、本充電が完了すると、ステップＳ４２において通信が終了し、ステップＳ４３において充電ケーブルが被充電装置４００から離脱されたことが検知される。
【００５３】
以上のように本実施の形態によれば、充電装置３００において、共通ＩＤ算出部１０１が、本充電期間の前の、当該本充電期間より短い仮充電期間を規定する規定パラメータに基づいて、共通ＩＤを算出し、通信データ信号形成部１０２が、算出された共通ＩＤを含むデータ（充電装置３００の通信アドレスを含む）を被充電装置４００へ送信する。具体的には、規定パラメータは、充電開始時刻、充電終了時刻、充電量の内の少なくとも一部を含む。
【００５４】
こうすることで、被充電装置４００側でも検出可能な仮充電期間を規定する規定パラメータから共通ＩＤを算出するので、充電装置３００と被充電装置４００とで同じ共通ＩＤを持ち合うことができる。さらに、被充電装置４００へ共通ＩＤ及び充電装置３００の通信アドレスを含めたデータを送信することにより、被充電装置４００側では、この共通ＩＤを判断材料として受信データが充電装置３００から送信されたものであるか否かを判断することができる。この結果、被充電装置４００が充電装置３００の通信アドレスを容易に且つ正確に特定することができる。
【００５５】
また、被充電装置４００において、共通ＩＤ算出部２０１が、本充電期間の前の、当該本充電期間より短い仮充電期間を規定する規定パラメータに基づいて、第１の共通ＩＤを算出し、受信処理部２０２が、充電装置３００にて算出された第２の共通ＩＤを含む信号を受信する。そして、共通ＩＤ比較部２０３が、第１の共通ＩＤと第２の共通ＩＤとが一致する場合に、受信処理部２０２で受信された信号を自装置宛の信号と判定する。
【００５６】
こうすることで、仮充電において検出可能な規定パラメータから共通ＩＤを算出するので、充電装置３００と被充電装置４００とで同じ共通ＩＤを持ち合うことができる。従って、受信信号に含まれている第２の共通ＩＤが自装置で算出された第１の共通ＩＤと一致するか否かを判断基準として、その受信信号が充電装置３００から送信された信号であるか（つまり、自装置宛の信号であるか）を容易且つ正確に判断することができる。この結果、受信信号に通信アドレスが含まれていれば、この通信アドレスを充電装置３００の通信アドレスであると判断できるので、被充電装置４００が充電装置３００の通信アドレスを容易に且つ正確に特定することができる。
【００５７】
なお、以上の説明では、通信装置１００が充電装置３００に組み込まれている場合を例にとり説明を行ったが、本発明はこれに限定されるものではなく、通信装置１００が充電装置３００と別体の独立した装置であって充電装置３００に外部から接続される装置であっても良い。また、通信装置１００は、図１に示されるように、共通ＩＤ算出部１０１及び通信データ信号形成部１０２から構成されていても良いし、これに加えて、規定パラメータ取得部３０３が構成要素として追加されても良い。さらに、充電パラメータ決定部３０１が構成要素として追加されても良い。
【００５８】
また、以上の説明では、通信装置２００が被充電装置４００に組み込まれている場合を例にとり説明を行ったが、本発明はこれに限定されるものではなく、通信装置２００が被充電装置４００と別体の独立した装置であって被充電装置４００に外部から接続される装置であっても良い。また、通信装置２００は、図２に示されるように、共通ＩＤ算出部２０１、受信処理部２０２、及び共通ＩＤ比較部２０３から構成されていても良いし、これに加えて、規定パラメータ取得部４０３が構成要素として追加されても良い。
【００５９】
［実施の形態２］
［システムの概要］
本発明の実施の形態２に係る通信システムでは、通信装置１００は、被充電装置に含まれる。また、通信装置２００は、充電装置に含まれる。すなわち、実施の形態１では、被充電装置において共通ＩＤ比較処理が行われていたのに対して、実施の形態２では、充電装置において共通ＩＤ比較処理が行われる。
【００６０】
［充電装置５００の構成］
図７は、本発明の実施の形態１に係る充電装置５００の構成を示すブロック図である。図７において、充電装置５００は、通信装置２００を含んで構成されている。
【００６１】
充電装置５００において、共通ＩＤ算出部２０１は、規定パラメータ取得部３０３から出力された規定パラメータに基づいて、共通ＩＤを算出する。算出された共通ＩＤは、共通ＩＤ比較部２０３に出力される。
【００６２】
受信処理部２０２は、被充電装置６００から送信された応答信号（被充電装置６００の通信アドレス及び被充電装置６００で算出された共通ＩＤが含められている）に対して受信処理を施すことにより、被充電装置６００の通信アドレス及び被充電装置６００で算出された共通ＩＤを取得する。また、受信処理部２０２は、共通ＩＤ比較部２０３から出力される制御信号を受け取ると、被充電装置６００の通信アドレスをアドレス保持部３０４へ出力する。
【００６３】
共通ＩＤ比較部２０３は、共通ＩＤ算出部２０１で算出された共通ＩＤと受信処理部２０２で取得された共通ＩＤとを比較する。比較の結果、両共通ＩＤが一致する場合には、共通ＩＤ比較部２０３は、受信処理部２０２で受信された受信信号が自装置宛の信号であると判断し、制御信号を受信処理部２０２へ出力する。
【００６４】
アドレス保持部３０４は、自装置の通信アドレスと、受信処理部２０２から受け取る被充電装置６００の通信アドレスとを保持する。
【００６５】
［被充電装置６００の構成］
図８は、本発明の実施の形態１に係る被充電装置６００の構成を示すブロック図である。図８において、被充電装置６００は、通信装置１００を含んで構成されている。
【００６６】
被充電装置６００において、共通ＩＤ算出部１０１は、規定パラメータ取得部４０３から出力された規定パラメータに基づいて、共通ＩＤを算出する。
【００６７】
アドレス保持部４０４は、自装置の通信アドレス（例えば、ＩＰアドレス、又は、ＭＡＣアドレス）を保持する。
【００６８】
通信データ信号形成部１０２は、共通ＩＤ算出部１０１で算出された共通ＩＤ及び自装置の通信アドレスを含めた送信信号を形成し、形成された送信信号をブロードキャスト送信する。
【００６９】
［充電装置５００及び被充電装置６００の動作］
以上の構成を有する充電装置５００及び被充電装置６００の動作について図９，１０のフローを参照して説明する。図９は、充電装置５００に対応するフロー図であり、図１０は、被充電装置６００に対応するフロー図である。ここで、同じステップ番号が付されているステップは、基本的には、主体が、充電装置３００から充電装置５００へ、又は、被充電装置４００が被充電装置６００へ変わる以外、実施の形態１のフローと同様である。
【００７０】
図９におけるステップＳ１１で充電装置５００の接続検知部（図示せず）が被充電装置６００との間で充電ケーブルが接続されたことを検知すると、ステップＳ５１で制御部（図示せず）が、先ず、通信アドレス特定モードに移行し、充電パラメータ決定部３０１へ仮充電期間の充電パラメータの決定を指示する指示信号を充電パラメータ決定部３０１へ出力する。
【００７１】
ステップＳ５２において受信処理部２０２は、被充電装置６００から送信された信号を受信したか否かを判定する。この判定は、受信信号を受け取るまで行われても良いし、所定期間においてだけ繰り返しても良い。後者の場合には、所定期間が経過すると、通信アドレス特定モードが終了され、充電装置５００と被充電装置６００との間の通信及び充電は実行されない設定とされても良い。
【００７２】
ステップＳ５２において被充電装置６００から送信された信号を受信したと判定される場合には、ステップＳ５３において受信処理部２０２は、被充電装置６００から送信された信号に対して受信処理を施すことにより、被充電装置６００から送信された共通ＩＤ及び被充電装置６００の通信アドレスを取得する。
【００７３】
ステップＳ５４において共通ＩＤ比較部２０３は、共通ＩＤ算出部２０１で算出された共通ＩＤと受信処理部２０２で取得された共通ＩＤとを比較する。比較の結果、両共通ＩＤが一致する場合には、共通ＩＤ比較部２０３は、受信処理部２０２で受信された受信信号が自装置宛の信号であると判断し、制御信号を受信処理部２０２へ出力する。これにより、ステップＳ５５において受信処理部２０２は、被充電装置６００の通信アドレスをアドレス保持部４０４に登録する。
【００７４】
そして、両共通ＩＤが一致する場合には、ステップＳ５６において充電装置５００の通信データ信号形成部（図示せず）が、共通ＩＤ算出部２０１で算出された共通ＩＤ、自装置の通信アドレス、及び、アドレス保持部４０４に保持される被充電装置６００の通信アドレスを含めた応答信号を形成し、形成された応答信号を送信する。充電装置５００の通信データ信号形成部（図示せず）が応答信号を送信すると、ステップＳ５７において制御部（図示せず）は、通信アドレス特定モードを終了する。ここで、応答信号は、被充電装置６００の通信アドレスを宛先アドレスとする。すなわち、応答信号は、ユニキャスト送信される。一方、両共通ＩＤが一致しない場合には、フローはステップＳ５２に戻り、被充電措置６００から送信された信号の受信待ち状態となる。
【００７５】
図１０におけるステップＳ６１で通信データ信号形成部１０２は、共通ＩＤ算出部１０１で算出された共通ＩＤ及び自装置の通信アドレスを含めた送信信号を形成し、形成された送信信号をブロードキャスト送信する。
【００７６】
ステップＳ６２において被充電装置６００の受信処理部（図示せず）は、充電装置５００から送信される応答信号を受信したか否かを判定する。この判定は、受信信号を受け取るまで行われても良いし、所定期間においてだけ繰り返しても良い。後者の場合には、所定期間が経過すると、通信アドレス特定モードが終了され、充電装置５００と被充電装置６００との間の通信及び充電は実行されない設定とされても良い。
【００７７】
ステップＳ６２において応答信号が受信されたと判定される場合には、ステップＳ６３において被充電装置６００の受信処理部（図示せず）は、応答信号に含まれる送信元アドレスを充電装置５００の通信アドレスとしてアドレス保持部４０４に登録する。
【００７８】
以上のように本実施の形態によれば、充電装置５００において、共通ＩＤ算出部２０１が、本充電期間の前の、当該本充電期間より短い仮充電期間を規定する規定パラメータに基づいて、第１の共通ＩＤを算出し、受信処理部２０２が、被充電装置６００にて算出された第２の共通ＩＤを含む信号を受信し、共通ＩＤ比較部２０３は、第１の共通ＩＤと第２の共通ＩＤとが一致する場合に、受信処理部２０２で受信された信号を自装置宛の信号と判定する。具体的には、規定パラメータは、充電開始時刻、充電終了時刻、充電量の内の少なくとも一部を含む。
【００７９】
また、被充電装置６００において、共通ＩＤ算出部１０１が、本充電期間の前の、当該本充電期間より短い仮充電期間を規定する規定パラメータに基づいて、共通ＩＤを算出し、通信データ信号形成部１０２が、算出された共通ＩＤを含むデータ（充電装置５００の通信アドレスも含む）を充電装置５００へ送信する。
【００８０】
なお、以上の説明では、通信装置１００が被充電装置６００に組み込まれている場合を例にとり説明を行ったが、本発明はこれに限定されるものではなく、通信装置１００が被充電装置６００と別体の独立した装置であって非充電装置６００に外部から接続される装置であっても良い。また、通信装置１００は、図１に示されるように、共通ＩＤ算出部１０１及び通信データ信号形成部１０２から構成されていても良いし、これに加えて、規定パラメータ取得部４０３が構成要素として追加されても良い。
【００８１】
また、以上の説明では、通信装置２００が充電装置５００に組み込まれている場合を例にとり説明を行ったが、本発明はこれに限定されるものではなく、通信装置２００が充電装置５００と別体の独立した装置であって充電装置５００に外部から接続される装置であっても良い。また、通信装置２００は、図２に示されるように、共通ＩＤ算出部２０１、受信処理部２０２、及び共通ＩＤ比較部２０３から構成されていても良いし、これに加えて、規定パラメータ取得部３０３が構成要素として追加されても良い。さらに、充電パラメータ決定部３０１が構成要素として追加されても良い。
【産業上の利用可能性】
【００８２】
本発明の通信装置及び通信方法は、被充電装置に含まれる通信装置と充電装置に含まれる通信装置との間で互いの通信アドレスを容易に特定することができるものとして有用である。
【符号の説明】
【００８３】
１００，２００  通信装置
１０１，２０１  共通ＩＤ算出部
１０２  通信データ信号形成部
２０２  受信処理部
２０３  共通ＩＤ比較部
３００，５００  充電装置
３０１  充電パラメータ決定部
３０２，４０２  充電制御部
３０３，４０３  規定パラメータ取得部
３０４，４０４  アドレス保持部
３０５  多重部
４００，６００  被充電装置
４０１  分離部
【図１】
2012124990.tif 000003
【図２】
2012124990.tif 000004
【図３】
2012124990.tif 000005
【図４】
2012124990.tif 000006
【図５】
2012124990.tif 000007
【図６】
2012124990.tif 000008
【図７】
2012124990.tif 000009
【図８】
2012124990.tif 000010
【図９】
2012124990.tif 000011
【図１０】
2012124990.tif 000012